(57)【要約】【課題】建物を構築する場合に、施工現場における施工作業が容易になり、構造を単純化して軽量化を図り、コストダウンすることができるユニット構造を提供する。【解決手段】建物を構成するユニット構造５Ａは、複数の建物ユニット１１０と、複数の建物ユニット１１０を連結する連結ユニット１２０．１３０と、を有し、建物ユニット１１０は、柱とはりにより構成されており、建物ユニット１１０は、建物ユニット１１０から突き出るように形成された継手部４５，４６を有し、連結ユニット１２０，１３０の一端部は、建物ユニット１１０の継手部４５，４６に連結され、連結ユニット１２０，１３０の他端部は、別の建物ユニットの継手部４５，４６に連結される。【選択図】図４
2015086600.tif 000002
【特許請求の範囲】
【請求項１】
建物を構成するユニット構造であって、
複数の建物ユニットと、前記複数の建物ユニットを連結する連結ユニットと、を有し、
前記建物ユニットは、柱とはりにより構成されており、前記建物ユニットは、前記建物ユニットから突き出るように形成された継手部を有し、
前記連結ユニットの一端部は、前記建物ユニットの前記継手部に連結され、前記連結ユニットの他端部は、別の前記建物ユニットの前記継手部に連結されることを特徴とするユニット構造。
【請求項２】
前記建物ユニットは、複数の前記柱と、複数の前記柱を連結する前記はりとしての複数の上部ばりと下部ばりを有することを特徴とする請求項１に記載のユニット構造。
【請求項３】
前記建物ユニットは、複数の前記柱と、複数の前記柱を連結する前記はりとしての下部ばりを有することを特徴とする請求項１に記載のユニット構造。
【発明の詳細な説明】
【技術分野】
【０００１】
本発明は、集合住宅、ホテル、事務所等の建物を構築するのに好適に用いることができるユニット構造に関する。
【背景技術】
【０００２】
近年、集合住宅、ホテル、事務所等の建物（建築物）を構築するために、建物のユニット化の開発とその実用化が進んでいる。この建物ユニット化とは、構築しようとする建物を、予め複数の単位に区分けして設計して製造しておくことをいう。
【０００３】
複数の建物ユニットのほぼ完成品は、予め製造工場で個別に製造しておいて、複数の建物ユニットをトレーラ等で施工現場まで運搬する。そして、これらの建物ユニットは、施工現場においてクレーン等の吊り上げ用の重機を使用して、水平方向の配置し上下方向に重ね合わせて締結することで、例えば１階建てあるいは２階建て以上の階層の建物を構築することができる。
【０００４】
この種の建物ユニットは、特許文献１に開示されている。特許文献１に記載の図１０に示すように、２本の柱と下部ばりと上部ばりを有する建物ユニットが示されており、複数の建物ユニットを水平方向に配置し上下方向に重ね合せることで建物を構築している。複数の建物を上下方向に位置合わせして重ね合せるために、下の階の柱の上端接合プレートには、ガイド部材が立てて設けられ、上の階の柱の下端接合プレートには、このガイド部材を入れるガイド孔が設けられている。これにより、上下の建物ユニットの接合時の位置決めを容易に行うとともに、接合作業を特別な工具を用いないで短時間に行うことができる。このように接合作業を行うことで、複数の建物ユニットが締結され、２階建て以上の階層の建物を構築することができる。
【先行技術文献】
【特許文献】
【０００５】
【特許文献１】特開２００５−９８０７８号公報
【発明の概要】
【発明が解決しようとする課題】
【０００６】
ところが、上述した特許文献１に記載の建物ユニットを用いて、予め定めた規模の建物を施工現場で施工する際に、構造を単純化してコストダウンを図って容易に施工できることが求められている。
【０００７】
本発明は、上記に鑑みてなされたもので、その目的とするところは、建物を構築する場合に、施工現場における施工作業が容易になり、構造を単純化して軽量化を図り、コストダウンすることができるユニット構造を提供することにある。
【課題を解決するための手段】
【０００８】
上記課題を達成するため、請求項１に記載のユニット構造は、建物を構成するユニット構造であって、複数の建物ユニットと、前記複数の建物ユニットを連結する連結ユニットと、を有し、前記建物ユニットは、柱とはりにより構成されており、前記建物ユニットは、前記建物ユニットから突き出るように形成された継手部を有し、前記連結ユニットの一端部は、前記建物ユニットの前記継手部に連結され、前記連結ユニットの他端部は、別の前記建物ユニットの前記継手部に連結されることを特徴とする。
【０００９】
請求項１に記載のユニット構造では、複数の建物ユニットに連結ユニットを連結するだけで、施工現場において建物を構築することができるので、施工現場における施工作業が容易になり、建物の構造を単純化して軽量化を図り、コストダウンすることができる。
【００１０】
請求項２に記載のユニット構造では、前記建物ユニットは、複数の前記柱と、複数の前記柱を連結する前記はりとしての複数の上部ばりと下部ばりを有することを特徴とする。
【００１１】
請求項２に記載のユニット構造では、柱と上部ばりと下部ばりを有する構造の建物ユニットを予め製造して用意しておけば、建物の施工作業が単純化でき、コストダウンが図れる。
【００１２】
請求項３に記載のユニット構造では、前記建物ユニットは、複数の前記柱と、複数の前記柱を連結する前記はりとしての下部ばりを有することを特徴とする。
【００１３】
請求項３に記載のユニット構造では、柱と下部ばりを有する構造の建物ユニットを予め製造して用意しておけば、建物の構造をさらに単純化でき、建物の施工作業が単純化でき、コストダウンが図れる。
【発明の効果】
【００１４】
本発明によれば、建物を構築する場合に、施工現場における施工作業が容易になり、構造を単純化して軽量化を図り、コストダウンすることができるユニット構造を提供できる。
【図面の簡単な説明】
【００１５】
【図１】本発明のユニット構造の第１実施形態により構築された建物の軸組みの例を示す側面図である。
【図２】図１における建物を一部省略して示す正面図である。
【図３】図２に示す１階部分の建物ユニットと２階部分の建物ユニットとそして４階部分の建物ユニットを示す図である。
【図４】図２に示す１階部分の建物ユニットと２階部分の建物ユニットとそして４階部分の建物ユニットを示す分解斜視図である。
【図５】本発明のユニット構造の第２実施形態により構築された建物の軸組みの例を示す側面図である。
【図６】図５における建物を一部省略して示す正面図である。
【図７】図６に示す１階部分の建物ユニットと２階部分の建物ユニットとそして４階部分の建物ユニットを示す図である。
【図８】図６に示す１階部分の建物ユニットと２階部分の建物ユニットとそして４階部分の建物ユニットを示す分解斜視図である。
【発明を実施するための形態】
【００１６】
以下、図面を用いて、本発明を実施するための形態(以下、実施形態と称する)を説明する。
【００１７】
（第１実施形態）
図１は、本発明のユニット構造の第１実施形態により構築された建物の好ましい例を示す側面図である。図２は、図１における建物を一部省略して示す正面図である。
【００１８】
図１と図２に示す建物１の主要用途としては、例えば集会場、介護老人健康施設、ホテル、共同住宅、学校、店舗、事務所等であるが、建物ユニットにより構築される建物の用途は、特に限定されない。
【００１９】
図１と図２は、建物１の鉄骨の軸組を示しており、建物１は一例として４階建の建物である。図１は、建物１の１階部分１ＦＬから４階部分４ＦＬを示している。図２では、図１に示す建物１の１階部分１ＦＬの建物ユニット１１０と複数の連結ユニット１２０，１３０と、建物１の２階部分２ＦＬの建物ユニット１１０と複数の連結ユニット１２０，１３０と、建物１の３階部分３ＦＬの建物ユニット１１０と複数の連結ユニット１２０，１３０の一部分と、建物１の４階部分４ＦＬの建物ユニット１１０と複数の連結ユニット１２０，１３０の一部分を示している。
【００２０】
図１と図２に示すように、建物１は、複数の建物ユニットを組み合わせて建物１を構成するためのユニット構造５Ａを有している。ユニット構造５Ａは、複数の建物ユニット１１０と複数の連結ユニット１２０，１３０により構成されている。図１に示す一例の建物１では、複数の建物ユニット１１０と複数の連結ユニット１２０，１３０を垂直方向に積み上げて締結することで、１階部分１ＦＬから４階部分４ＦＬを構成している。１階部分１ＦＬから４階部分４ＦＬの各建物ユニット１１０の構造は実質的に同じである。
【００２１】
図３は、１階部分１ＦＬの１つの建物ユニット１１０と複数の連結ユニット１２０，１３０と、２階部分２ＦＬの１つの建物ユニット１１０と複数の連結ユニット１２０，１３０と、４階部分４ＦＬの１つの建物ユニット１１０と複数の連結ユニット１２０，１３０を示している。しかし、３階部分３ＦＬの構造は、２階部分２ＦＬの構造と同じであるので、図３では、３階部分３ＦＬの図示を省略している。
【００２２】
図４は、１階部分１ＦＬの建物ユニット１１０と複数の連結ユニット１２０，１３０と、２階部分２ＦＬの建物ユニット１１０と複数の連結ユニット１２０，１３０を代表して示す分解斜視図であるが、３階部分３ＦＬと４階部分４ＦＬの構造は、１階部分１ＦＬと２階部分２ＦＬの構造と同じであるので、図４では図示を省略している。
【００２３】
図２と図４に示すように、１階部分１ＦＬは、鉄骨製の２つの建物ユニット１１０と、２つの連結ユニット１２０，１３０により構成されている。図４に特に示すように、各建物ユニット１１０は、１組の２本の柱１１，１１と下部ばり１２と上部ばり１２Ｂと、もう１組の２本の柱２１，２１と下部ばり２２と上部ばり２２Ｂと、４本の連結用のはり２３，２４と、複数の子ばり２５から構成されている。
【００２４】
図２と図３に示すように、２本の柱１１，１１の下端部と下部ばり１２の両端部は、ガセットプレート５５を用いてボルトとナット、溶接等により連結されている。同様にして、２本の柱１１，１１の上端部と上部ばり１２Ｂの両端部は、ガセットプレート５５を用いてボルトとナット、溶接等により連結されている。
【００２５】
これにより、図２と図４に示すように、各建物ユニット１１０は、□型の建物ユニットである。すなわち、１組の２本の柱１１，１１と下部ばり１２と上部ばり１２Ｂは、ほぼ□型の構成要素３０を構成し、もう１組の２本の柱２１，２１と下部ばり２２と上部ばり１２Ｂも、ほぼ□型の構成要素３１を構成している。図４に示すように、□型の構成要素３０と□型の構成要素３１は、４本の連結用のはり２３，２４を用いて所定のスパンをおいて平行に連結されている。建物ユニット１１０の構造は、予め製造工場において組み立てて製造される。
【００２６】
図３と図４に示すように、上部ばり１２Ｂの一端部と下部ばり１２の一端部には、建物ユニット１１０の外側に向けて水平に突き出るようにして、継手部４５、４６がそれぞれ設けられている。また、図２と図４に示すように、柱１１，２１は、それぞれ上端部に締結用のダイアフラム４０を有し、下端部には２つの締結用のダイアフラム４１を有している。
【００２７】
次に、図４を参照して、連結ユニット１２０，１３０の構造を説明する。
【００２８】
連結ユニット１２０，１３０は同様の構造を有しているが、連結ユニット１２０を構成している部材は、連結ユニット１３０を構成している部材に比べて太く、強い強度を確保している。
【００２９】
連結ユニット１２０は、２本のはり部材１２１と、連結ばり１２２と、小ばり１２３を有している。同様にして、連結ユニット１３０は、２本のはり部材１３１と、連結ばり１３２と、小ばり１３３を有している。
【００３０】
図４に示す矢印と図２を参照すると、はり部材１２１の一端部１２１Ａは、ジョイント部材１４０とボルトナットを用いて、一方の建物ユニット１１０の継手部４５に連結されるようになっている。しかも、はり部材１２１の他端部１２１Ｂは、ジョイント部材１４０とボルトナットを用いて、反対側の他方の建物ユニット１１０の継手部４５に連結されるようになっている。同様にして、はり部材１３１の一端部１３１Ａは、ジョイント部材１４０とボルトナットを用いて、一方の建物ユニット１１０の継手部４６に連結されるようになっている。しかも、はり部材１３１の他端部１３１Ｂは、ジョイント部材１４０とボルトナットを用いて、反対側の他方の建物ユニット１１０の継手部４６に連結されるようになっている。
【００３１】
これにより、図２に示すように、２つの建物ユニット１１０，１１０は、連結ユニット１２０，１３０を用いて連結することで、１階部分１ＦＬが構成されている。
【００３２】
なお、連結ユニット１２０，１３０は、建物ユニット１１０とともに、予め製造工場において組み立てて製造される。
【００３３】
次に、図２と図４を参照して、複数の建物ユニット１１０と複数の連結ユニット１２０，１３０を施工現場において連結することで、建物１を構築する施工例を説明する。
【００３４】
図４に示すように、複数の建物ユニット１１０と複数の連結ユニット１２０，１３０は、製造工場で予め製造される。そして、複数の建物ユニット１１０と複数の連結ユニット１２０，１３０は、図１と図２に示す建物１のユニット構造５Ａを施工現場で構築するために、図示しないトレーラのような運搬装置により、製造工場から施工現場に運搬される。
【００３５】
図２に示すように、１階部分１ＦＬを構成する複数の建物ユニット１１０が水平方向に並べて配置される。そして、図４に示す矢印と図２を参照すると、１階部分１ＦＬのはり部材１２１の一端部１２１Ａは、ジョイント部材１４０とボルトナットを用いて、一方の建物ユニット１１０の継手部４５に連結される。しかも、はり部材１２１の他端部１２１Ｂは、ジョイント部材１４０とボルトナットを用いて、反対側の他方の建物ユニット１１０の継手部４５に連結される。
【００３６】
同様にして、図２に示すように、はり部材１３１の一端部１３１Ａは、ジョイント部材１４０とボルトナットを用いて、一方の建物ユニット１１０の継手部４６に連結される。しかも、はり部材１３１の他端部１３１Ｂは、ジョイント部材１４０とボルトナットを用いて、反対側の他方の建物ユニット１１０の継手部４６に連結される。
【００３７】
これにより、図２に示すように、２つの建物ユニット１１０，１１０は、連結ユニット１２０，１３０を用いて連結することで、１階部分１ＦＬが施工現場で構成される。
【００３８】
次に、１階部分１ＦＬの上に２階部分２ＦＬを構成する。すなわち、２階部分２ＦＬを構成する複数の建物ユニット１１０が、１階部分１ＦＬを構成する複数の建物ユニット１１０の上にそれぞれ重ねて置かれて締結される。この締結を行う場合には、下側の柱１１の上部のベースプレート４０の上に、上側の柱１１の下部のダイアフラム４１が重ねて置かれ、ボルトナット、溶接等を用いて締結される。
【００３９】
そして、図４に示す矢印と図２を参照すると、２階部分２ＦＬのはり部材１２１の一端部１２１Ａは、ジョイント部材１４０とボルトナットを用いて、一方の建物ユニット１１０の継手部４５に連結される。しかも、はり部材１２１の他端部１２１Ｂは、ジョイント部材１４０とボルトナットを用いて、反対側の他方の建物ユニット１１０の継手部４５に連結される。
【００４０】
同様にして、はり部材１３１の一端部１３１Ａは、ジョイント部材１４０とボルトナットを用いて、一方の建物ユニット１１０の継手部４６に連結される。しかも、はり部材１３１の他端部１３１Ｂは、ジョイント部材１４０とボルトナットを用いて、反対側の他方の建物ユニット１１０の継手部４６に連結される。
【００４１】
これにより、図２に示すように、２つの建物ユニット１１０，１１０は、連結ユニット１２０，１３０を用いて連結することで、施工現場において、１階部分１ＦＬの場合と同様して、２階部分２ＦＬが構成される。以降、３階部分３ＦＬと４階部分４ＦＬも、２階部分２ＦＬの場合と同様にして、施工現場において、構成することができる。
【００４２】
以上のようにして、製造工場で予め製造された複数の建物ユニット１１０と複数の連結ユニット１２０，１３０を施工現場に運搬した後に、複数の建物ユニット１１０と複数の連結ユニット１２０，１３０を施工現場において組み合わせて締結することにより、施工現場において図１と図２に示す建物１のユニット構造５Ａを、施工現場における施工作業が容易になり、建物１のユニット構造５Ａを単純化して軽量化を図り、コストダウンすることができる。
【００４３】
ところで、図２に示すように連結ユニット１２０，１３０のはり部材１２１，１３１の設定長さＬを任意に設定することで、複数の建物ユニット１１０，１１０の間には、例えば大スパンの空間ＳＰを形成することが可能である。
【００４４】
第１実施形態のユニット構造５Ａは、建物ユニットは、複数の柱と、複数の柱を連結するはりとしての複数の上部ばりと下部ばりを有する。これにより、柱と上部ばりと下部ばりを有する構造の建物ユニットを予め製造して用意しておけば、建物の施工作業が単純化でき、コストダウンが図れる。
【００４５】
複数の建物ユニット１１０の中間に、床ユニットとしての連結ユニット１２０，１３０を連結するので、連結ユニット１２０，１３０の長さＬを任意に設定することで、建物ユニット１１０の中間には大スパンの空間の確保が可能である。建築ユニット１１０がユニット構造５Ａの両側に位置されていれば、連結ユニット１２０は、どの位置でも使用可能である。
【００４６】
複数の建物ユニット１１０の中間に、床ユニットとしての連結ユニット１２０，１３０を連結するので、建物ユニット１１０の中間領域には、柱の設定が不要であるので、柱の本数が減少し、鉄骨柱の使用の軽減と、アンカーボルトと基礎の設定の軽減ができる。
【００４７】
ユニット構造５Ａは、複数の建物ユニット１１０の中間位置に連結ユニット１２０，１３０を配置し、１スパン毎に建物ユニット１１０の設定を省略する構造にすることができる。
【００４８】
（第２実施形態）
次に、図５から図８を参照して、本発明の第２実施形態を説明する。
【００４９】
図５は、本発明のユニット構造の実施形態により構築された建物の好ましい例を示す側面図である。図６は、図５における建物を一部省略して示す正面図である。
【００５０】
図５と図６に示す建物１Ｂの主要用途としては、例えば集会場、介護老人健康施設、ホテル、共同住宅、学校、店舗、事務所等であるが、建物ユニットにより構築される建物の用途は、特に限定されない。
【００５１】
図５と図６は、建物１の鉄骨の軸組を示しており、建物１は一例として４階建の建物である。図５は、建物１の１階部分１ＦＬから４階部分４ＦＬを示している。図６では、図５に示す建物１の１階部分１ＦＬの建物ユニット１０と連結ユニット１３０と、建物１の２階部分２ＦＬの建物ユニット１０と連結ユニット１３０と、建物１の３階部分３ＦＬの建物ユニット１０と連結ユニット１３０の一部分と、建物１の４階部分４ＦＬの建物ユニット５０と連結ユニット１２０，１３０の一部分を示している。
【００５２】
図５と図６に示すように、建物１は、複数の建物ユニットを組み合わせて建物１を構成するためのユニット構造５を有している。ユニット構造５は、複数の建物ユニット１０と連結ユニット１３０、この建物ユニット１０とは別の構造を有する建物ユニット５０と連結ユニット１２０，１３０により構成されている。
【００５３】
図５に示す一例の建物１では、複数の建物ユニット１０と連結ユニット１３０を水平方向に並べて配置し、しかも垂直方向に積み上げて締結することで、１階部分１ＦＬ、２階部分２ＦＬ、そして３階部分３ＦＬを構成している。そして、別の複数の建物ユニット５０と連結ユニット１２０，１３０は、３階部分３ＦＬの建物ユニット１０の上にさらに積み上げて締結することで、最上階である４階部分４ＦＬを構成している。
【００５４】
１階部分１ＦＬ、２階部分２ＦＬ、そして３階部分３ＦＬの各建物ユニット１０の構造は実質的に同じであるが、４階部分４ＦＬの建物ユニット５０の構造は、建物ユニット１０の構造とは異なる。
【００５５】
図７は、１階部分１ＦＬの１つの建物ユニット１０と連結ユニット１３０、２階部分２ＦＬの１つの建物ユニット１０と連結ユニット１３０、４階部分４ＦＬの１つの建物ユニット５０と連結ユニット１２０，１３０を示している。しかし、３階部分３ＦＬの構造は、２階部分２ＦＬの構造と同じであるので、図７では、３階部分３ＦＬの図示を省略している。
【００５６】
図８は、１階部分１ＦＬの建物ユニット１０と連結ユニット１３０と、２階部分２ＦＬの建物ユニット１０と連結ユニット１３０と、４階部分４ＦＬの建物ユニット５０と連結ユニット１２０，１３０を示す分解斜視図である。しかし、３階部分３ＦＬの構造は、２階部分２ＦＬの構造と同じであるので、図８では、３階部分３ＦＬの図示を省略している。
【００５７】
図６と図８に示すように、１階部分１ＦＬは、鉄骨製の２つの建物ユニット１０と１つの連結ユニット１３０により構成されている。図８に特に示すように、各建物ユニット１０は、１組の２本の柱１１，１１と下部ばり１２と、もう１組の２本の柱２１，２１と下部ばり２２と、２本の連結用のはり２３，２４と、複数の子ばり２５から構成されている。図６と図７に示すように、２本の柱１１，１１の下端部と下部ばり１２の両端部は、ガセットプレート５５を用いてボルトとナット、溶接等により連結されている。各建物ユニット１０では、天井ばり（上部ばり）に相当する鉄骨のはりが無い構造となっている。
【００５８】
これにより、建物ユニット１０はＵ型の建物ユニットである。すなわち、図６と図８に示すように、１組の２本の柱１１，１１と下部ばり１２は、ほぼＵ型の構成要素３０を構成し、もう１組の２本の柱２１，２１と下部ばり２２も、ほぼＵ型の構成要素３１を構成している。図７と図８に示すように、Ｕ型の構成要素３０とＵ型の構成要素３１は、２本の連結用のはり２３，２４を用いて所定のスパンをおいて平行に連結されている。
【００５９】
このため、建物ユニット１０の構造は、天井ばり（上部ばり）を有する通常の建物ユニットの構造に比べて、天井ばり（上部ばり）の分だけ各建物ユニット１０の構成部材を減らすことができ、建物ユニット１０の重量を軽くすることができる。各建物ユニット１０と連結ユニット１３０は、予め製造工場において組み立てて製造される。
【００６０】
ところで、上述したように、Ｕ型の構成要素３０とＵ型の構成要素３１には、上部ばりが設けられていない。すなわち、Ｕ型の構成要素３０の２本の柱１１，１１の間には上部ばりが設けられておらず、しかもＵ型の構成要素３１の２本の柱２１，２１の間にも上部ばりが設けられていない。このことから、各建物ユニット１０を、トレーラ等の運搬装置を用いて、製造工場から建物１を施工しようとする施工現場まで運搬する際に、振動等の影響により変形しないように補強するために、図５から図８に示すように、各建物ユニット１０には、次に説明する仮設用の部材が設けられている。
【００６１】
図５から図８に示す仮設用の部材３３，３４，３５，３６は、柱１１，２１や下部ばり１２，２２よりも細い鉄骨である。
【００６２】
これらの仮設用の部材３３，３４，３５，３６は、予め製造工場において取り付けられる。仮設用の部材３３は、柱１１，１１の上端部を接続する。仮設用の部材３５は、連結用のはり２３，２４の中央位置において、柱１１，２１に平行になるように立てて取り付けられる。仮設用の部材は、仮設用の部材３５，３５の上端部の間に水平に取り付けられる。仮設用の部材３６は、柱１１と仮設用の部材３５の上端部間に水平に取り付けられ、柱２１と仮設ブレース３５の上端部間に水平に取り付けられる。
【００６３】
これにより、製造工場で組み立てて製造された建物ユニット１０を、運搬装置により製造工場から施工現場に運搬する際に、建物ユニット１０が振動等の影響により変形するのを防止でき、建物ユニット１０の形状を維持することができる。上部ばりが設定されていない建物ユニット１０の形状を維持することができることにより、建物ユニット１０を施工現場で形状の補正をする必要が無くなるので、施工現場での施工作業が容易になる。
【００６４】
図６と図８に示すように、柱１１，２１は、それぞれ上端部に締結用のベースプレート４０を有し、下端部には２つの締結用のダイアフラム４１を有している。
【００６５】
図８に示すように、連結ユニット１３０は、２本のはり部材１３１と、連結ばり１３２と、小ばり１３３を有している。
【００６６】
図８に示す矢印と図６を参照すると、はり部材１３１の一端部１３１Ａは、ジョイント部材１４０とボルトナットを用いて、一方の建物ユニット１０の継手部４６に連結されるようになっている。しかも、はり部材１３１の他端部１３１Ｂは、ジョイント部材１４０とボルトナットを用いて、反対側の他方の建物ユニット１０の継手部４６に連結されるようになっている。
【００６７】
これにより、図６に示すように、２つの建物ユニット１０，１０は、連結ユニット１３０を用いて連結することで、１階部分１ＦＬが構成されている。なお、連結ユニット１３０は、建物ユニット１１０とともに、予め製造工場において組み立てて製造される。
【００６８】
次に、図８に示す２階部分２ＦＬの各建物ユニット１０は、１階部分１ＦＬの各建物ユニット１０と実質的に同じで構造であり、連結ユニット１３０も１階部分１ＦＬの連結ユニット１３０と同じ構造であるので、同じ箇所には同じ符号を記して説明を省略する。
【００６９】
ただし、２階部分２ＦＬの各建物ユニット１０の２本の下部ばり１２Ａ，２２Ａは、１階部分１ＦＬの各建物ユニット１０の２本の下部ばり１２，２２に比べて太くなっていて、より大きい強度を確保している。２階部分２ＦＬの各建物ユニット１０の２本の連結用のはり２３Ａ，２４Ａは、１階部分１ＦＬの各建物ユニット１０の２本の連結用のはり２３，２４に比べて太くなっていて、より大きい強度を確保している。また、３階部分３ＦＬの各建物ユニット１０と連結ユニット１３０は、２階部分２ＦＬの各建物ユニット１０と連結ユニット１３０実質的に同じであるので、同じ箇所には同じ符号を記して説明を省略する。
【００７０】
次に、図８を参照して、最上階である４階部分４ＦＬの各建物ユニット５０と連結ユニット１２０，１３０の構造を説明する。
【００７１】
図６と図８に示すように、４階部分４ＦＬは、鉄骨製の２つの建物ユニット５０と、連結ユニット１２０，１３０により構成されている。各建物ユニット５０の構造は、上述した建物ユニット１０の構造とは異なる。図８に示すように、各建物ユニット５０は、１組の２本の柱５１，５１と、下部ばり５２と、上部ばり（天井ばり）５３と、もう１組の２本の柱５１，５１と、下部ばり５２と、上部ばり（天井ばり）５３と、４本の連結用のはり６３，６４，６５，６６と、複数の子ばり６７，６８から構成されている。
【００７２】
図６と図７に示すように、２本の柱５１，５１の下端部と下部ばり５２の両端部は、ガセットプレート７０を用いてボルトとナット、溶接等により連結されている。また、２本の柱５１，５１の上端部と上部ばり５３の両端部は、ガセットプレート７０を用いてボルトとナット、溶接等により連結されている。
【００７３】
連結ユニット１２０は、２本のはり部材１２１と、連結ばり１２２と、小ばり１２３を有している。同様にして、連結ユニット１３０は、２本のはり部材１３１と、連結ばり１３２と、小ばり１３３を有している。建物ユニット５０と連結ユニット１２０，１３０は、予め製造工場において製造される。
【００７４】
図７と図８に示すように、上部ばり５３の一端部と下部ばり５２の一端部には、建物ユニット５０の外側に向けて水平に突き出るようにして、継手部８９がそれぞれ設けられている。
【００７５】
次に、図８を参照して、複数の建物ユニット１０と連結ユニット１３０と、複数の建物ユニット５０と連結ユニット１２０，１３０を施工現場において連結することで、建物１を構築する施工例を説明する。
【００７６】
図８に示す複数の建物ユニット１０と連結ユニット１３０と、複数の建物ユニット５０と連結ユニット１２０，１３０は、製造工場で予め製造される。そして、複数の建物ユニット１０と連結ユニット１３０と、複数の建物ユニット５０と連結ユニット１２０，１３０は、図５と図６に示す建物１のユニット構造５を施工現場で構築するために、図示しないトレーラのような運搬装置により、製造工場から施工現場に運搬される。
【００７７】
そして、図８に示す矢印と図６を参照すると、１階部分１ＦＬのはり部材１３１の一端部１３１Ａは、ジョイント部材１４０とボルトナットを用いて、一方の建物ユニット１０の継手部４６に連結される。しかも、はり部材１３１の他端部１３１Ｂは、ジョイント部材１４０とボルトナットを用いて、反対側の他方の建物ユニット１０の継手部４６に連結される。
【００７８】
これにより、図６に示すように、２つの建物ユニット１０，１０は、連結ユニット１３０を用いて連結することで、１階部分１ＦＬが構成される。
【００７９】
次に、１階部分１ＦＬの上に２階部分２ＦＬを構成する。すなわち、２階部分２ＦＬを構成する複数の建物ユニット１０が、１階部分１ＦＬを構成する複数の建物ユニット１０の上にそれぞれ重ねて置かれて締結される。この締結を行う場合には、下側の柱１１の上部のベースプレート４０の上に、上側の柱１１の下部のダイアフラム４１が重ねて置かれ、ボルトナット、溶接等を用いて締結される。
【００８０】
そして、図８に示す点矢印と図６を参照すると、２階部分２ＦＬのはり部材１３１の一端部１３１Ａは、ジョイント部材１４０とボルトナットを用いて、一方の建物ユニット１０の継手部４６に連結される。しかも、はり部材１３１の他端部１３１Ｂは、ジョイント部材１４０とボルトナットを用いて、反対側の他方の建物ユニット１０の継手部４６に連結される。
【００８１】
これにより、図６に示すように、２階部分２ＦＬの２つの建物ユニット１０，１０は、連結ユニット１３０を用いて連結することで、１階部分１ＦＬの場合と同様して、２階部分２ＦＬが構成される。以降、３階部分３ＦＬも、２階部分２ＦＬの場合と同様にして構成することができる。
【００８２】
このようにして１階部分１ＦＬから３階部分３ＦＬまで構築された後に、最上階部分である４階部分ＦＬを構成する。図７に示す４階部分４ＦＬを構成する複数の建物ユニット５０が、図６に示すように３階部分３ＦＬを構成する複数の建物ユニット１０の上に重ねて置かれて締結される。この場合には、下側の柱１１の上部のベースプレート４０の上に、図７に示す上側の柱５１の下部のダイアフラム４１が重ねて置かれ、ボルトナット、溶接等を用いて締結される。
【００８３】
そして、４階部分４ＦＬを構成する複数の建物ユニット５０が、連結ユニット１２０，１３０により連結される。すなわち、連結ユニット１２０のはり部材１２１の一端部１２１Ａは、ジョイント部材１４０とボルトナットを用いて、一方の建物ユニット５０の継手部８９に連結される。連結ユニット１２０のはり部材１２１の一端部１２１Ａは、ジョイント部材１４０とボルトナットを用いて、反対側の他方の建物ユニット５０の継手部８９に連結される。
【００８４】
また、連結ユニット１３０のはり部材１３１の他端部１３１Ｂは、ジョイント部材１４０とボルトナットを用いて、一方の建物ユニット５０の継手部８９に連結される。連結ユニット１３０のはり部材１３１の他端部１３１Ｂは、ジョイント部材１４０とボルトナットを用いて、反対側の他方の建物ユニット５０の継手部８９に連結される。
【００８５】
以上のようにして、製造工場で予め製造された複数の建物ユニット１０と連結ユニット１３０と、建物ユニット５０と連結ユニット１２０，１３０を施工現場に運搬した後に、組み合わせて締結することにより、施工現場において図５と図６に示す建物１のユニット構造５を、施工現場における施工作業が容易になり、構造を単純化して軽量化を図り、コストダウンすることができる。
【００８６】
ところで、図８に示すように連結ユニット１２０，１３０のはり部材１２１，１３１の設定長さＬを任意に設定することで、複数のユニット１１０，１１０の間には、例えば大スパンの空間ＳＰを形成することが可能である。
【００８７】
以上のようにして、製造工場で予め製造された複数の建物ユニット１０と複数の連結ユニット１２０，１３０と、複数の建物ユニット５０を施工現場に運搬した後に、複数の建物ユニット１０と複数の建物ユニット５０を組み合わせて締結することにより、施工現場において図５と図６に示す建物１を、簡単に構築することができる。
【００８８】
ところで、本発明の実施形態の建物ユニット１０，５０を用いて建物１を構築する際に、図７と図８に示すように、建物ユニット１０のＵ型の構成要素３０，３１は、通常のユニット工法と比較して、天井側の上部ばりを無くし、図６と図８に示すように、上側の階部分の床ばり（下部ばり）と下側の階部分の天井ばり（上部ばり）は、はり１２Ａ，２２Ａ，２３Ａ，２４Ａ，６３，６４により共有して使用するようになっている。例えば、１階部分１ＦＬの上部ばりと２階部分２ＦＬの下部ばりは、図８に示す２階部分２ＦＬのはり１２Ａ，２２Ａ，２３Ａ，２４Ａにより兼用して共有使用することができる。このため、建物１を構成する構成部材の本数を減らして、構造の簡単化と重量の軽減と、コストダウンを図ることができる。
【００８９】
また、３階部分３ＦＬの複数の建物ユニット１０上に、４階部分４ＦＬを構成する複数の建物ユニット５０を載せて締結すると、４階部分４ＦＬの下部ばりと３階部分３ＦＬの上部ばり（天井ばり）は、図８に示す４階部分４ＦＬのはり５２，５２，６３，６４により兼用して共有使用するようになっている。このため、建物１を構成する構成部材の本数を減らして、構造の簡単化と重量の軽減と、コストダウンを図ることができる。
【００９０】
なお、図８に示す１階部分１ＦＬのはり１２，２２と連結ばり２３，２４や、２階部分２ＦＬと３階部分３ＦＬのはり１２Ａ，２２Ａと連結ばり２３Ａ，２４Ａには、選択的に例えばユニットバスや家具等を、予め製造工場で作り付けしておくことができる。これにより、建物の施工現場では、このようなユニットバスや家具等を現場で施工する必要が無くなるので、施工時の作業を簡素化することができ、施工費用のコストダウンを図ることができる。
【００９１】
天井の仕上げは、好ましくは各階の建物ユニット１０の上部の仮設のはり３３，３４，３５，３６に対して予め製造工場内で取り付けて仕上げることができる。このため、１階部分１ＦＬから３階部分３ＦＬのそれぞれに天井を仕上げる場合には、仮設のはり３３，３４，３５，３６は取り外さないようにすることができる。
【００９２】
なお、天井を仕上げない場合には、仮設用の部材３３，３４，３５，３６は、必要に応じて、各建物ユニット１０を水平方向と垂直方向に連結していく際に取り除くことができる。
【００９３】
建物ユニット１０は、上部ばり（天井ばり）を設けないので、従来上部ばりを設ける場合に比べて、１階部分１ＦＬから３階部分３ＦＬのそれぞれの天井高さをより高く確保することができる。
【００９４】
第２実施形態のユニット構造５では、建物ユニットは、複数の柱と、複数の柱を連結するはりとしての下部ばりを有する。このユニット構造５の建物ユニット１０では、下部ばり１２，１２Ａは設けられているが、上部ばりは設けられていない。これにより、柱と下部ばりを有する構造の建物ユニットを予め製造して用意しておけば、建物の構造をさらに単純化でき、建物の施工作業が単純化でき、コストダウンが図れる。
【００９５】
複数の建物ユニット１０の中間に、床ユニットとしての連結ユニット１３０を連結するので、連結ユニット１３０の長さＬを任意に設定することで、建物ユニット１０の中間には大スパンの空間の確保が可能である。建築ユニット１０がユニット構造５の両側に位置されていれば、連結ユニット１３０は、どの位置でも使用可能である。
【００９６】
複数の建物ユニット１０の中間に、床ユニットとしての連結ユニット１３０を連結するので、建物ユニット１１０の中間領域には、柱の設定が不要であるので、柱の本数が減少し、鉄骨柱の使用の軽減と、アンカーボルトと基礎の設定の軽減ができる。
【００９７】
ユニット構造５は、複数の建物ユニット１０の中間位置に連結ユニット１２０，１３０を配置し、１スパン毎に建物ユニット１０の設定を省略する構造にすることができる。
【００９８】
上述したように、本発明の実施形態のユニット構造は、建物を構成するユニット構造であって、複数の建物ユニットと、複数の建物ユニットを連結する連結ユニットと、を有し、建物ユニットは、柱とはりにより構成されており、建物ユニットは、建物ユニットから突き出るように形成された継手部を有し、連結ユニットの一端部は、建物ユニットの継手部に連結され、連結ユニットの他端部は、別の建物ユニットの継手部に連結される。これにより、複数の建物ユニットに連結ユニットを連結するだけで、施工現場において建物を構築する場合に、施工現場における施工作業が容易になり、構造を単純化して軽量化を図り、コストダウンすることができる。
【００９９】
以上、実施形態を挙げて本発明を説明したが、各実施形態は一例であり、特許請求の範囲に記載される発明の範囲は、発明の要旨を逸脱しない範囲内で種々変更できるものである。
【０１００】
例えば、図７に示すように、各建物ユニット１０の柱１１の下端部に、破線で示すように延長部分８０を設けて、この延長部分８０にベースプレート８１を設けても良い。同様にして、建物ユニット５０の柱５１の下端部に、破線で示すように延長部分８０を設けて、この延長部分８０にベースプレート８１を設けても良い。これにより、１階部分１ＦＬから４階部分４ＦＬの床下には、例えば通信用のケーブルを配線するための空間をそれぞれ形成することができる。
【０１０１】
また、本発明の実施形態では、任意の数の建物ユニットを、水平方向に配置ししかも垂直方向にそれぞれ積み重ねて締結することで、任意の階数の建物を、施工現場において確実にしかも容易に構築できる。しかも、使用しなくなった建物は、必要に応じて元の各建物ユニット１０，５０と、連結ユニット１２０，１３０に解体して区分けすることで、建物の解体が容易であり、建物ユニット１０，５０と、連結ユニット１２０，１３０の再利用も可能である。
【０１０２】
最上階として図４に示す建物ユニット１１０あるいは図８に示す建物ユニット５０を配置する代わりに、単に屋根ユニットとしてはりのみを固定するようにしても良く、この場合には３階建てになる。
【符号の説明】
【０１０３】
１      建物
１Ｂ    建物
５      ユニット構造
５Ａ    ユニット構造
１０    建物ユニット
４６    継手部
５０    建物ユニット
８９    継手部
１１０  建物ユニット
１２０，１３０    連結ユニット
１４０  ジョイント部材
【図１】
2015086600.tif 000003
【図２】
2015086600.tif 000004
【図３】
2015086600.tif 000005
【図４】
2015086600.tif 000006
【図５】
2015086600.tif 000007
【図６】
2015086600.tif 000008
【図７】
2015086600.tif 000009
【図８】
2015086600.tif 000010